(57)【要約】      （修正有）【課題】測定信号中の分散を測定するための方法及びデータフュージョン方法並びに衛星支援型ナビゲーションにおいて使用するためのコンピュータプログラム、機械読み取り可能記憶媒体及び対応する装置を提供する。【解決手段】方法は、フィルタリングされた測定信号を取得するために、ハイパスフィルタ（ＨＰ）によって測定信号をフィルタリングするステップ５０１と、フィルタリングされた測定信号に基づいて、分散を特定するステップ５０２と、を含む。【選択図】図５
2020098622.tif 000002
【特許請求の範囲】
【請求項１】
測定信号中の分散を測定するための方法（５００）であって、
フィルタリングされた測定信号を取得するために、ハイパスフィルタ（ＨＰ）によって測定信号をフィルタリングするステップ（５０１）と、
フィルタリングされた前記測定信号に基づいて、分散を特定するステップ（５０２）と、
を含む、
測定信号中の分散を測定するための方法（５００）。
【請求項２】
前記ハイパスフィルタ（ＨＰ）は、線形位相フィルタであり、特に有限インパルス応答（ＦＩＲ）フィルタである、
請求項１に記載の方法（５００）。
【請求項３】
前記ハイパスフィルタ（ＨＰ）の係数は、前記測定信号を検出するために用いられるサンプリングレートに依存する、
請求項２に記載の方法（５００）。
【請求項４】
前記ハイパスフィルタ（ＨＰ）の群遅延時間は、前記分散において測定タスクに関連する遅延に整合されており、特に前記群遅延時間は、５０ｍｓ乃至１００ｍｓにあり、特に実質的に８０ｍｓにある、
請求項２に記載の方法（５００）。
【請求項５】
前記フィルタリングのステップの後、第２のフィルタリングのステップを実施し、前記第２のフィルタリングのステップにおいて、先行してフィルタリングされた前記測定信号から特定された分散を、ローパスフィルタ（ＴＰ）によってフィルタリングする、
請求項１又は２に記載の方法（５００）。
【請求項６】
前記ハイパスフィルタ（ＨＰ）及び／又は前記ローパスフィルタ（ＴＰ）のカットオフ周波数を、測定タスクに関連する情報が前記測定信号にまだ含まれる周波数に応じて設定し、特に前記カットオフ周波数は、２Ｈｚ乃至２０Ｈｚにあり、特に５Ｈｚ乃至１０Ｈｚ付近にある、
請求項１乃至５のいずれか一項に記載の方法（５００）。
【請求項７】
前記分散を特定するステップにおいて、連続する計算及び／又は連続する平均値及び／又は連続する二乗和平均値によって、前記分散を計算する、
請求項１乃至６のいずれか一項に記載の方法（５００）。
【請求項８】
前記分散を特定するステップにおいて、第３のフィルタリングのステップを実施し、当該ステップにおいて、前記連続する平均値をフィルタリングする、
請求項５に記載の方法（５００）。
【請求項９】
カルマンフィルタ（Ｋ）を用いたデータフュージョン方法（６００）であって、
第１の入力信号は、測定信号であり、第２の入力信号は、前記測定信号の分散であり、
前記測定信号の分散を、請求項１乃至８のいずれか一項に記載の方法（５００）によって測定し、
前記測定信号を前記カルマンフィルタ（Ｋ）によって、少なくとも１つのさらに別の第３の入力信号と融合する（６０１）、
カルマンフィルタ（Ｋ）を用いたデータフュージョン方法（６００）。
【請求項１０】
前記分散を前記カルマンフィルタ（Ｋ）の外部において測定する、
請求項９に記載の方法（６００）。
【請求項１１】
請求項１乃至１０のいずれか一項に記載の方法（５００，６００）のすべてのステップを実施するために構成されたコンピュータプログラム。
【請求項１２】
請求項１１に記載のコンピュータプログラムが記憶されている、機械読み取り可能記憶媒体。
【請求項１３】
請求項１乃至１０のいずれか一項に記載の方法のすべてのステップを実施するように構成された装置。
【発明の詳細な説明】
【技術分野】
【０００１】
本発明は、測定信号中の分散を測定するための方法及びデータフュージョン方法に関する。さらに、本発明は、特に衛星支援型ナビゲーションにおいて使用するための、コンピュータプログラム、機械読み取り可能記憶媒体、及び、対応する装置に関する。
【背景技術】
【０００２】
背景技術
米国特許第７，２０９，９３８号明細書（ＵＳ７，２０９，９３８Ｂ２）から、カルマンフィルタを用いたフィルタ技術が公知であり、これによれば、測定値分散のために適応型推定器が使用される。この場合、カルマンフィルタの技術には、信号フィルタリングのメカニズムが含まれる。さらに、信号フィルタリングのメカニズムには、カルマンフィルタと分散推定器とが含まれる。
【０００３】
データフュージョンにおいては、特に、慣性センサとＧＮＳＳとを用いたナビゲーションにおいて、しばしばカルマンフィルタが用いられる。これらの統計的なフィルタは、モデル及び測定量のほか、測定データの分散の形態において、測定データの品質に関する情報も付加的に必要とする。
【０００４】
分散が未知又は可変の測定信号に対しては、分散に適応する適応型カルマンフィルタを用いることができる。この目的において、多くの場合には、カルマンフィルタの状態も用いられ、複素行列演算によって分散が推定される。
【先行技術文献】
【特許文献】
【０００５】
【特許文献１】米国特許第７，２０９，９３８号明細書
【発明の概要】
【課題を解決するための手段】
【０００６】
発明の開示
このことを背景として、本発明によれば、独立請求項に記載のノイズパラメータ、特に分散の推定方法が提案される。
【０００７】
本発明に係る方法は、システム全体の改善された適応型のフィルタパフォーマンスを達成する目的において、遅延時間の間にデータフュージョンを行うカルマンフィルタの測定信号のために、格別に適している。
【０００８】
これによれば、カルマンフィルタに格納されたモデルに左右されることなく、リソースを節約する実装が実現される。
【０００９】
よって、本発明は、推定するという特質よりも、むしろ測定するという特質を有している。
【００１０】
本発明の核となる着想は、もっぱら測定信号自体に基づいて、カルマンフィルタの測定信号中のノイズ、特に分散を特定する、ということである。即ち、ノイズの特定を、むしろノイズの測定とみなすことができる。このことは、ノイズが推定され、格納されているモデルに左右される慣用のシステムとは異なり、有利である。
【００１１】
本発明において強調すべき点は、分散の測定が、カルマンフィルタの外部において行われ、従って、カルマンフィルタに内在する固有の慣性に左右されない、ということである。これによって、測定信号における変動に対する迅速な整合が可能である。同様に、有利であるのは、一定の入力信号によって、より迅速に一定の出力信号が生じることである。ここで提案されるのは、直流成分、即ち、実際の信号を、ハイパスフィルタ、特にディジタルハイパスフィルタによって抑制するようにして、測定信号の分散を特定することである。
【００１２】
本発明に係る方法を、車両に適用する場合には、例えば、衛星支援型ナビゲーション装置に基づく位置特定に適用する場合には、まさに本発明は、その利点を十分に奏することになる。
【００１３】
しかも、本発明に付随して、ハードウェアリソースコストがさらにわずかになる。
【００１４】
この目的において、本発明に係る方法は、
フィルタリングされた測定信号を取得するために、ハイパスフィルタによって測定信号をフィルタリングするステップと、
フィルタリングされた測定信号に基づいて、分散を特定するステップと、
を含む。
【００１５】
ここでは、測定信号は、どのような測定信号であってもよいが、本発明が基礎とする認識は、衛星支援型ナビゲーション装置の信号（ＧＮＳＳ信号）を、慣性センサ機構、例えば加速度センサ機構の信号とデータフュージョンする際に、格別に良好な結果を達成することができる、という点にある。
【００１６】
１つの有利な実施形態によれば、ハイパスフィルタは、線形位相フィルタである。
【００１７】
線形位相フィルタの使用によって、すべてのノイズ成分は、等しい群遅延時間を有する。
【００１８】
有限インパルス応答（ＦＩＲ）フィルタの適用によって、これを、格別簡単に実現することができる。
【００１９】
ＦＩＲフィルタを使用する場合には、ハイパスフィルタの係数を、測定信号を検出するために用いられるサンプリングレートに依存させると、分散測定の結果が著しく改善されることが判明した。
【００２０】
測定信号のノイズは、走行状態に応じてそれぞれ異なる可能性があることから、この方法において重要であるのは、フィルタ経路中の群遅延時間を可能な限り短くすることである。
【００２１】
このために、本発明に係る方法の１つの好ましい実施形態によれば、ハイパスフィルタの群遅延時間が、測定タスクに関連する分散における遅延に整合されている。
【００２２】
短い群遅延時間によって、ノイズの変化を直ちに新たな分散にも置き換えることができ、従って、走行状態が急激に変化しても、分散の特定がそれにも拘わらず適正となる、ということが阻止される。
【００２３】
特別な適用事例においては、即ち、ＧＮＳＳ信号と、慣性センサ機構、例えば加速度センサ機構の信号とのデータフュージョンにおいては、５０ｍｓ乃至１００ｍｓの群遅延時間が有利であることが判明した。この場合には、８０ｍｓの群遅延時間が推奨される。
【００２４】
本発明に係る方法の効率的な実施形態によれば、フィルタリングのステップの後、第２のフィルタリングのステップが実施され、この第２のフィルタリングのステップにおいて、先行してフィルタリングされた測定信号から特定された分散が、ローパスフィルタによってフィルタリングされる。
【００２５】
１つの簡単な実施形態によれば、ローパスフィルタ、特にＰＴ１ローパスフィルタによって、二乗和平均値を連続的に形成することができる。このように簡単にされた態様が基礎とする認識は、二乗和平均値は、先行のハイパスフィルタにより平均値が０とされるときに、分散にそのまま対応する、という認識に基づいている。
【００２６】
この場合、フィルタのカットオフ周波数は、測定タスクに関連する情報が信号にまだ含まれる周波数に従って設定される。
【００２７】
従って、本発明に係る方法の１つの実施形態によれば、ハイパスフィルタ又はローパスフィルタのカットオフ周波数は、測定タスクに関連する情報が測定信号にまだ含まれる周波数に従って設定される。
【００２８】
道路車両の走行動特性の領域であれば、これは、車両の車線数に応じて約３Ｈｚ乃至２０Ｈｚ、特に５Ｈｚ乃至２０Ｈｚである。
【００２９】
本発明に係る方法の１つの有利な実施形態によれば、分散を特定するステップにおいて、連続する計算を用いて、又は、連続する平均値を用いて、又は、連続する二乗和平均値を用いて、分散が計算される。
【００３０】
これは、ハイパスフィルタリングされた入力信号から分散を計算又は測定するための簡単な実現手法を成すものである。
【００３１】
連続する平均値及び連続する二乗和平均値による連続する計算において、測定信号の履歴全体を取得するのではなく、直前の期間を考察する目的において、さらに別の拡張された変形態様によれば、分散を特定するステップにおいて、第３のフィルタリングのステップが実施され、このステップにおいて、連続する平均値がフィルタリングされる。
【００３２】
このようにすることによって、分散の計算又は測定が、探索される又は関連する測定期間に簡単に制限される。
【００３３】
本発明のさらに別の態様は、カルマンフィルタを用いたデータフュージョン方法であって、この場合、第１の入力信号は、測定信号であり、第２の入力信号は、測定信号の分散であり、ここで、分散は、本発明に係る方法の１つの実施形態により測定される。
【００３４】
その際に格別に有利であるのは、カルマンフィルタの外部において分散が測定されるようにした、データフュージョン方法の１つの実施形態である。
【００３５】
本発明のさらに別の態様は、分散測定方法又はデータフュージョン方法のすべてのステップを実施するために構成されたコンピュータプログラム、及び、このコンピュータプログラムの１つの実施形態が記憶された機械読み取り可能記憶媒体である。
【００３６】
さらに本発明の１つの態様は、分散測定方法又はデータフュージョン方法のすべてのステップを実施するように構成された装置である。
【００３７】
特に推奨されるのは、かかる装置を、例えば、車両センサ及び車両制御装置などのための組み込みシステムとして実装する場合には、除算演算を算術シフトに置き換える目的で、除数を２のべき乗の形態にすることである。
【００３８】
以下においては、図面を参照しながら、本発明の実施形態を開示し、それらについて説明する。
【図面の簡単な説明】
【００３９】
【図１】本発明の１つの実施形態を示すブロック回路図である。
【図２】入力信号１乃至４を含むグラフである。
【図３ａ】種々の方法による入力信号１に基づいた分散特定について示すグラフである。
【図３ｂ】種々の方法による入力信号２に基づいた分散特定について示すグラフである。
【図３ｃ】種々の方法による入力信号３に基づいた分散特定について示すグラフである。
【図３ｄ】種々の方法による入力信号４に基づいた分散特定について示すグラフである。
【図４】ブロック回路図である。
【図５】本発明に係る測定信号中の分散を測定するための方法の１つの実施形態を示すフローチャートである。
【図６】本発明に係るデータフュージョン方法の１つの実施形態を示すフローチャートである。
【発明を実施するための形態】
【００４０】
図１には、本発明の１つの実施形態のブロック回路図が示されている。このブロック回路図から、本発明の核となる着想を明確に読み取ることができる。センサＳは、センサ信号又は測定信号を後処理ユニットへ供給する。センサ信号のデータフュージョンのためにさらに有利には、カルマンフィルタＫが用いられ、このフィルタが測定信号に適用される。このため、測定信号は、一方ではカルマンフィルタＫへ供給され、他方では測定信号は、直流成分、即ち、実際の信号を抑制するために、フィルタ、ここではハイパスフィルタＨＰへ供給される。このようにしてフィルタリングされた測定信号は、次いで、本発明に係る方法５００に従って行われる分散特定又は分散測定へ送られる。測定された分散も、次いで、カルマンフィルタＫへ供給され、別の入力量としてデータフュージョンのために評価される。
【００４１】
図２には、４つの測定信号（信号１乃至４）を含むグラフが示されている。このグラフから読み取ることができるように、これらの測定信号は、それぞれ異なる強さの分散を有している。以下に続く図面においてさらに別のグラフに、種々の分散特定方法の結果を本発明に係る方法の１つの実施形態と対比して示す。
【００４２】
図３ａ乃至図３ｄには、窓方法と単純なローパスフィルタリングとによる分散特定結果が、本発明に係る方法５００の１つの実施形態と対比して示されている。
【００４３】
この結果から、本発明の性能を明確に認めることができる。その理由は、本発明に係る方法の実施形態の結果の方が、入力分散として示した基準分散を中心にはるかに狭い範囲で揺動しているからである。
【００４４】
即ち、ここには、本発明は著しく多様な入力信号に適用可能であり、良好な結果をもたらすことが示されている。
【００４５】
図４には、本発明に係る装置を含む構成の１つの実施形態のブロック回路図が示されている。
【００４６】
図４には、２つのセンサＳ１及びＳ２が示されており、これらのセンサのセンサ信号、即ち、それらの測定信号は、カルマンフィルタＫによって融合される。
【００４７】
この目的において、センサＳ１，Ｓ２は、それらの測定信号を、一方では直接、入力信号としてカルマンフィルタＫに入力する。他方では、測定信号は、本発明に係る方法５００に従って、ハイパスフィルタＨＰによってフィルタリングされる。このようにしてフィルタリングされた測定信号は、次いで、ローパスフィルタＴＰによってフィルタリングされる。このフィルタステップの結果は、個々の測定信号の（測定された）分散として、カルマンフィルタＫに別の入力量として入力される。
【００４８】
ハイパスフィルタとローパスフィルタとの組み合わせを、バンドパスフィルタＢＰとも称する。従って、２つの個々のフィルタの代わりに、バンドパスフィルタＢＰを用いることもできる。
【００４９】
自明のとおり、フィルタＨＰ，ＴＰ，ＢＰを様々に構成することができる。また、これらのフィルタを、ハードウェア若しくはソフトウェアとして、又は、それらの組み合わせとして、設けることができる。
【００５０】
カルマンフィルタＫは、両方の測定値又はセンサ信号の融合結果を、結果として送出する。
【００５１】
道路車両の走行動特性の領域であれば、３Ｈｚ乃至２０Ｈｚ付近、特に５Ｈｚ乃至２０Ｈｚ付近の信号において、関連する情報を探索することができる。
【００５２】
これらの境界条件に基づいて、ローパスフィルタＴＰから（例えば、反転により）形成可能なハイパスフィルタＨＰに関して、ローパスフィルタＴＰのカットオフ周波数が約５Ｈｚ乃至１０Ｈｚ付近にあるのが望ましい、ということを導出することができる。なぜならば、可能な限り短い群遅延時間によって、減衰自体は、２０Ｈｚまではおそらくまだ著しくは大きくないからである。ローパスフィルタＴＰは、同様に、群遅延時間に過度に多くの影響を及ぼすことがないように、少なくとも２Ｈｚのカットオフ周波数を有するのが望ましい。
【００５３】
自動車に適用するために、サンプリングレートが２００Ｈｚの場合、係数ｂｈｐ＝［１，１６，３６，５５，７３，８４，９３，１０２，−９２０，１０２，９３，８４，７３，５５，３６，１６，１］及びａｈｐ＝１０２４を有する１６次のＦＩＲハイパスフィルタ、並びに、係数ｂｔｐ＝［１］及びａｔｐ＝［１６，−１５］を有する無限インパルス応答（ＩＩＲ）ローパスフィルタが提案される。これによれば、約８乃至１５個のサンプルの通過域における群遅延時間が達成される。このことは、２００Ｈｚのサンプリングレートであれば、４０ｍｓ乃至７５ｍｓの群遅延時間に対応する。
【００５４】
図５には、本発明に係る測定信号中の分散を測定するための方法の１つの実施形態に関するフローチャートが示されている。
【００５５】
ステップ５０１において、ハイパスフィルタによって測定信号をフィルタリングして、フィルタリングされた測定信号を取得する。
【００５６】
ステップ５０２において、フィルタリングされた測定信号に基づいて、測定信号中の分散を特定する。
【００５７】
図６には、本発明に係るデータフュージョン方法の１つの実施形態に関するフローチャートが示されている。
【００５８】
ステップ６０１において、カルマンフィルタにより入力信号を融合する。その際、入力信号の分散を特定するために、本発明に係る測定信号中の分散を測定するための方法を適用する。
【００５９】
本発明の実施の態様は、以下の態様を含む。
１．  測定信号中の分散を測定するための方法（５００）であって、
フィルタリングされた測定信号を取得するために、ハイパスフィルタ（ＨＰ）によって測定信号をフィルタリングするステップ（５０１）と、
フィルタリングされた前記測定信号に基づいて、分散を特定するステップ（５０２）と、
を含む、
測定信号中の分散を測定するための方法（５００）。
２．  前記ハイパスフィルタ（ＨＰ）は、線形位相フィルタであり、特に有限インパルス応答（ＦＩＲ）フィルタである、
項目１に記載の方法（５００）。
３．  前記ハイパスフィルタ（ＨＰ）の係数は、前記測定信号を検出するために用いられるサンプリングレートに依存する、
項目２に記載の方法（５００）。
４．  前記ハイパスフィルタ（ＨＰ）の群遅延時間は、前記分散において測定タスクに関連する遅延に整合されており、特に前記群遅延時間は、５０ｍｓ乃至１００ｍｓにあり、特に実質的に８０ｍｓにある、
項目２に記載の方法（５００）。
５．  前記フィルタリングのステップの後、第２のフィルタリングのステップを実施し、前記第２のフィルタリングのステップにおいて、先行してフィルタリングされた前記測定信号から特定された分散を、ローパスフィルタ（ＴＰ）によってフィルタリングする、
項目１又は２に記載の方法（５００）。
６．  前記ハイパスフィルタ（ＨＰ）及び／又は前記ローパスフィルタ（ＴＰ）のカットオフ周波数を、測定タスクに関連する情報が前記測定信号にまだ含まれる周波数に応じて設定し、特に前記カットオフ周波数は、２Ｈｚ乃至２０Ｈｚにあり、特に５Ｈｚ乃至１０Ｈｚ付近にある、
項目１乃至５のいずれか一項に記載の方法（５００）。
７．  前記分散を特定するステップにおいて、連続する計算及び／又は連続する平均値及び／又は連続する二乗和平均値によって、前記分散を計算する、
項目１乃至６のいずれか一項に記載の方法（５００）。
８．  前記分散を特定するステップにおいて、第３のフィルタリングのステップを実施し、当該ステップにおいて、前記連続する平均値をフィルタリングする、
項目５に記載の方法（５００）。
９．  カルマンフィルタ（Ｋ）を用いたデータフュージョン方法（６００）であって、
第１の入力信号は、測定信号であり、第２の入力信号は、前記測定信号の分散であり、
前記測定信号の分散を、項目１乃至８のいずれか一項に記載の方法（５００）によって測定し、
前記測定信号を前記カルマンフィルタ（Ｋ）によって、少なくとも１つのさらに別の第３の入力信号と融合する（６０１）、
カルマンフィルタ（Ｋ）を用いたデータフュージョン方法（６００）。
１０．  前記分散を前記カルマンフィルタ（Ｋ）の外部において測定する、
項目９に記載の方法（６００）。
１１．  項目１乃至１０のいずれか一項に記載の方法（５００，６００）のすべてのステップを実施するために構成されたコンピュータプログラム。
１２．  項目１１に記載のコンピュータプログラムが記憶されている、機械読み取り可能記憶媒体。
１３．  項目１乃至１０のいずれか一項に記載の方法のすべてのステップを実施するように構成された装置。
【図１】
2020098622.tif 000003
【図２】
2020098622.tif 000004
【図３ａ】
2020098622.tif 000005
【図３ｂ】
2020098622.tif 000006
【図３ｃ】
2020098622.tif 000007
【図３ｄ】
2020098622.tif 000008
【図４】
2020098622.tif 000009
【図５】
2020098622.tif 000010
【図６】
2020098622.tif 000011
【手続補正書】
【提出日】令和2年2月6日(2020.2.6)
【手続補正１】
【補正対象書類名】特許請求の範囲
【補正対象項目名】全文
【補正方法】変更
【補正の内容】
【特許請求の範囲】
【請求項１】
測定信号中の分散を測定するための方法（５００）であって、
フィルタリングされた測定信号を取得するために、ハイパスフィルタ（ＨＰ）によって測定信号をフィルタリングするステップ（５０１）と、
フィルタリングされた前記測定信号に基づいて、分散を特定するステップ（５０２）と、
を含み、
前記分散を特定するステップにおいて、連続する計算及び／又は連続する平均値及び／又は連続する二乗和平均値によって、前記分散を計算する、
測定信号中の分散を測定するための方法（５００）。
【請求項２】
前記ハイパスフィルタ（ＨＰ）は、線形位相フィルタである、
請求項１に記載の方法（５００）。
【請求項３】
前記ハイパスフィルタ（ＨＰ）は、有限インパルス応答（ＦＩＲ）フィルタである、
請求項１又は２に記載の方法（５００）。
【請求項４】
前記ハイパスフィルタ（ＨＰ）の係数は、前記測定信号を検出するために用いられるサンプリングレートに依存する、
請求項２又は３に記載の方法（５００）。
【請求項５】
前記ハイパスフィルタ（ＨＰ）の群遅延時間は、前記分散において測定タスクに関連する遅延に整合されている、
請求項１又は４に記載の方法（５００）。
【請求項６】
前記ハイパスフィルタ（ＨＰ）の前記群遅延時間は、５０ｍｓ乃至１００ｍｓにある、
請求項５に記載の方法（５００）。
【請求項７】
前記ハイパスフィルタ（ＨＰ）の前記群遅延時間は、８０ｍｓにある、
請求項５に記載の方法（５００）。
【請求項８】
前記フィルタリングのステップの後、第２のフィルタリングのステップを実施し、前記第２のフィルタリングのステップにおいて、先行してフィルタリングされた前記測定信号から特定された分散を、ローパスフィルタ（ＴＰ）によってフィルタリングする、
請求項１乃至３のいずれか一項に記載の方法（５００）。
【請求項９】
前記ハイパスフィルタ（ＨＰ）及び／又は前記ローパスフィルタ（ＴＰ）のカットオフ周波数を、測定タスクに関連する情報が前記測定信号にまだ含まれる周波数に応じて設定する、
請求項８に記載の方法（５００）。
【請求項１０】
前記ハイパスフィルタ（ＨＰ）及び／又は前記ローパスフィルタ（ＴＰ）の前記カットオフ周波数は、２Ｈｚ乃至２０Ｈｚにある、
請求項９に記載の方法（５００）。
【請求項１１】
前記ハイパスフィルタ（ＨＰ）及び／又は前記ローパスフィルタ（ＴＰ）の前記カットオフ周波数は、５Ｈｚ乃至１０Ｈｚにある、
請求項９に記載の方法（５００）。
【請求項１２】
前記分散を特定するステップにおいて、第３のフィルタリングのステップを実施し、前記第３のフィルタリングのステップにおいて、連続する平均値をフィルタリングする、
請求項８に記載の方法（５００）。
【請求項１３】
カルマンフィルタ（Ｋ）を用いたデータフュージョン方法（６００）であって、
第１の入力信号は、測定信号であり、第２の入力信号は、前記測定信号の分散であり、
前記測定信号の分散を、請求項１乃至１２のいずれか一項に記載の方法（５００）によって測定し、
前記測定信号を前記カルマンフィルタ（Ｋ）によって、少なくとも１つのさらに別の第３の入力信号と融合する（６０１）、
カルマンフィルタ（Ｋ）を用いたデータフュージョン方法（６００）。
【請求項１４】
前記分散を前記カルマンフィルタ（Ｋ）の外部において測定する、
請求項１３に記載の方法（６００）。
【請求項１５】
請求項１乃至１４のいずれか一項に記載の方法（５００，６００）のすべてのステップを実施するために構成されたコンピュータプログラム。
【請求項１６】
請求項１５に記載のコンピュータプログラムが記憶されている、機械読み取り可能記憶媒体。
【請求項１７】
請求項１５に記載のコンピュータプログラムを実行するように構成された装置。
【外国語明細書】
2020098622.tif 000012
2020098622.tif 000013
2020098622.tif 000014
2020098622.tif 000015
2020098622.tif 000016
2020098622.tif 000017
2020098622.tif 000018
2020098622.tif 000019
2020098622.tif 000020
2020098622.tif 000021
2020098622.tif 000022
2020098622.tif 000023
2020098622.tif 000024
2020098622.tif 000025
2020098622.tif 000026
2020098622.tif 000027
2020098622.tif 000028
2020098622.tif 000029
2020098622.tif 000030